(57)【特許請求の範囲】
【請求項１】
一枚の紙素材に、直線状の谷折り線に隣り合わせて、箱底板の縁部補強用の紙面部を形成し、前記谷折り線に連ねる状態で補強用紙面部の両側に、この紙面部とほゞ同幅のスリットを形成し、補強用紙面部を挟んで谷折り線とは反対側の紙面部に、一方のスリットの奥隅から補強用紙面部の途中にわたって、前記谷折り線と平行になる切り目を形成すると共に、この切り目の終端から４５度の角度で第２の切り目を、かつ、他方のスリットの奥隅から４５度の角度で山折り線を、互いに交えるように形成し、谷折り線を挟んで両側の紙面部を谷折り線と山折り線とで折り込んで、この両側の紙面部を互いに９０度反転させて重ね合わせ、この重なり合った方形の紙面部を箱底板にして、この箱底板の周辺から張り出した紙面部を、それぞれ箱側板と折り畳み蓋板とを形成するように、二度、谷折りして、方形の空間を形成したことを特徴とする紙製の箱。
【請求項２】
一枚の紙素材に、直線状の谷折り線に隣り合わせて、上下または左右の箱側板を箱端縁よりも控えさせる寸法分の紙面部を形成し、前記谷折り線に連ねる状態で控え紙面部の両側に、この控え紙面部とほゞ同幅のスリットを形成し、控え紙面部を挟んで谷折り線とは反対側の紙面部に、一方のスリットの奥隅から補強用紙面部の途中にわたって、前記谷折り線と平行になる切り目を形成すると共に、この切り目の終端から４５度の角度で第２の切り目を、かつ、他方のスリットの奥隅から４５度の角度で山折り線を、互いに交えるように形成し、谷折り線を挟んで両側の紙面部を谷折り線と山折り線とで折り込んで、この両側の紙面部を互いに９０度反転させて重ね合わせ、この重なり合った方形の紙面部を箱底板にして、この箱底板の周辺から張り出した紙面部を、それぞれ箱側板と折り畳み蓋板とを形成するように、二度、谷折りして、方形の空間を形成したことを特徴とする紙製の箱。
【発明の詳細な説明】
【０００１】
【発明の属する技術分野】
本発明は、一枚の紙素材を折り畳んで方形の空間を形成する紙製の箱に関するものである。
【０００２】
【従来の技術】
上記の紙製の箱は、例えば厚みのある書類や書籍などを郵送したり、書類等と共にフロッピィディスクやビデオテープなどを郵送したりする際の郵送用や、その他ピザパイなどの宅配用などに用いられるもので、一枚の紙素材を複雑にカットして、山折りや谷折りの折り線を形成し、これを巧みに折り畳んで方形の空間を形成し、かつ、紙片を切り目に差し込んだり切り目を互いに噛み合わせたりする係止の手段によって、折り畳み蓋板を閉じ合わせるようにしたものがある。
【０００３】
しかし、かゝる構成の紙製の箱にあっては、紙素材のカットや折り線の形状が複雑である上に、紙素材を工夫してカットし且つ面倒な係止の手間を掛けて蓋板を閉じ合わせるようにしているにも拘らず、これだけでは蓋板が開く不安があって、郵送に耐え得ないことから折り畳み蓋板をテープ止めしているのが現状であって、紙素材の複雑なカットや面倒な係止の手間を掛けることが無駄になっている。
【０００４】
また、箱の側板は、これが一重であっても強度的に強いので問題はないが、押圧力を受けて撓み易い箱の蓋板や底板が一重であることは、例えばフロッピィディスクやビデオテープなどのように、収容対象が壊れ易い物の場合には致命的であり、このことから、紙素材の巧みなカットと折り込みとによって、蓋板を出来るだけ二重にするようにしているが、これは蓋板についてのことであって、底板二重にすることは望むべくもなかったのである。
【０００５】
そして、この蓋板にしても、その全面を殆ど二重に成し得るものではない上に、この蓋板に切り目やその切り目に差し込む紙片を形成することが蓋板の強度低下を伴うもので、文字通り二重の構造強度を有せしめ得るものではなかったのである。
【０００６】
本発明は、折り畳み蓋板に蓋閉じの機能を持たせたところで、最終的には蓋板をテープ止めする必要性があって、紙製の箱に蓋閉じの機能を有せしめることは何ら意味がないことを念頭に置いて成されたものであって、一枚の紙素材に簡単なカットと折り込み線とを形成するだけの簡単な技術によって、蓋板と底板とを殆どと言っても過言でない程に二重の構成と成し得た紙製の箱を、コスト的に安価に提供することを目的としている。
【０００７】
【課題を解決するための手段】
上記の目的を達成するために本発明が講じた技術的手段は、次の通りである。即ち、
【０００８】
第１発明による紙製の箱は、一枚の紙素材に、直線状の谷折り線に隣り合わせて、箱底板の縁部補強用の紙面部を形成し、前記谷折り線に連ねる状態で補強用紙面部の両側に、この紙面部とほゞ同幅のスリットを形成し、補強用紙面部を挟んで谷折り線とは反対側の紙面部に、一方のスリットの奥隅から補強用紙面部の途中にわたって、前記谷折り線と平行になる切り目を形成すると共に、この切り目の終端から４５度の角度で第２の切り目を、かつ、他方のスリットの奥隅から４５度の角度で山折り線を、互いに交えるように形成し、谷折り線を挟んで両側の紙面部を谷折り線と山折り線とで折り込んで、この両側の紙面部を互いに９０度反転させて重ね合わせ、この重なり合った方形の紙面部を箱底板にして、この箱底板の周辺から張り出した紙面部を、それぞれ箱側板と折り畳み蓋板とを形成するように、二度、谷折りして、方形の空間を形成した点に特徴がある。
【０００９】
【００１０】
第２発明による紙製の箱は、一枚の紙素材に、直線状の谷折り線に隣り合わせて、上下または左右の箱側板を箱端縁よりも控えさせる寸法分の紙面部を形成し、前記谷折り線に連ねる状態で控え紙面部の両側に、この控え紙面部とほゞ同幅のスリットを形成し、控え紙面部を挟んで谷折り線とは反対側の紙面部に、一方のスリットの奥隅から補強用紙面部の途中にわたって、前記谷折り線と平行になる切り目を形成すると共に、この切り目の終端から４５度の角度で第２の切り目を、かつ、他方のスリットの奥隅から４５度の角度で山折り線を、互いに交えるように形成し、谷折り線を挟んで両側の紙面部を谷折り線と山折り線とで折り込んで、この両側の紙面部を互いに９０度反転させて重ね合わせ、この重なり合った方形の紙面部を箱底板にして、この箱底板の周辺から張り出した紙面部を、それぞれ箱側板と折り畳み蓋板とを形成するように、二度、谷折りして、方形の空間を形成した点に特徴がある。
【００１１】
上記いずれの発明においても、谷折り線上部の紙面部を、９０度反転させながら谷折り線下部の紙面部に重ね合わせることで、谷折り線と山折り線とによる三角形の一重部分が形成されるものの、全面を殆ど二重にした箱底板が形成され、かつ、この箱底板の周辺から張り出した紙面部を、それぞれ二度、谷折りすることで、箱側板と二重の折り畳み蓋板とが形成される。
【００１２】
そして、第１発明による紙製の箱にあっては、箱底板の一側縁に補強用の紙面部が折り返し形成されて、箱底板の強度アップが達成されることに加えて、谷折り線と平行になる切り目を補強用紙面部の途中にわたって形成したことで、箱寸法を谷折り線方向で大きくしても、箱底板の三角形の一重部分を面積的に小さくすることができる。
【００１３】
一方、第２発明による紙製の箱にあっては、上下または左右の箱側板が箱端縁よりも控えて形成されることで、折り畳み蓋板の端縁どうしをステイプルの針で止め合わせることが、そのステイプルを控え凹部に差し込むことで容易に行え、しかも、箱側板を控えさせるための控え紙面部が箱端縁の一側縁に折り返し形成されることで、箱底板の強度アップが達成される。
特に、第２発明による紙製の箱では、第１発明と同様に、箱寸法を谷折り線方向で大きくしても、箱底板の三角形の一重部分を面積的に小さくすることができる。
【００１４】
【発明の実施の形態】
以下、本発明の実施の形態を図面に基づいて説明する。図１は紙製の箱を示し、この紙製の箱は、一枚の紙素材を折り畳んで方形の空間を形成して成るものあって、この実施の形態では、箱の天地を逆にした時の二重の箱底板１の表面に郵便番号の記入欄２を印刷し、かつ図２に示すように、例えばフロッピィディスク３の収容袋４を蓋内側面に備えさせて、後は宛て先を筆記したり宛て名シールを貼着したりすることで、書類などと共にフロッピィディスク３を郵送できるように構成している。
【００１５】
上記の紙製の箱は、次のようにして作製されている。即ち、図３に示すように、矩形状に切り出された一枚の厚手の紙素材５に、この紙素材５の下側縁とによって矩形状の第１箱底板１ａを設定するように３本の直線状の谷折り線ａ，ｂ，ｂを形成し、かつ、谷折り線ａ上部の紙面部５ａの上下の幅寸法Ｃを、第１箱底板１ａの左右の幅寸法Ｄとほゞ同じに設定している。
【００１６】
そして、前記谷折り線ａの両端に直線状に連ねる状態で、それぞれ切り目ｃ，ｃを形成する一方、谷折り線上部の紙面部５ａには、谷折り線ａの端部から４５度の角度をもって互いに交わる第２の切り目ｄと山折り線ｅとを形成し、かつ、谷折り線下部の紙面部５ｂには、左右２本の谷折り線ｂ，ｂとによって左右の箱側板６ａ，６ａを設定するための２本の谷折り線ｆ，ｆを形成すると共に、この谷折り線ｆの左右外側の紙面部５ｃの幅寸法を、第１箱底板１ａの左右の幅寸法Ｄの半分以上に設定している。
【００１７】
更に、山折り線ｅの形成始端側の谷折り線ｂに連ねる状態で、前記谷折り線上部の紙面部５ａに谷折り線ｈを形成すると共に、この谷折り線ｈとによって第２の箱底板１ｂを設定するための谷折り線ｉを、その線ｈ，ｉ間の寸法Ａを第１箱底板１ａの上下寸法Ｂとほゞ同じにして形成し、かつ、これらの谷折り線ｈ，ｉとによって上下の箱側板６ｂ，６ｃを設定するために、谷折り線ｈ，ｉの外側に２本の谷折り線ｊ，ｊを形成している。
【００１８】
このように、一枚の紙素材５に、切り目ｃ，ｄと谷折り線ａ，ｂ，ｆ，ｈ，ｉ，ｊと山折り線ｅを形成した上で、図４に示すように、谷折り線上部の紙面部５ａを谷折り線ａと山折り線ｅとで折り込み、かつ図５に示すように、この谷折り線上部の紙面部５ａを９０
度反転させながら、谷折り線ａと山折り線ｅと切り目ｄとによって囲われた三角紙面部５ｄと、第２の箱底板１ｂとを、第１の箱底板１ａに重ね合わせるのである。
【００１９】
そして、この重ね合わせによる二重の箱底板（即ち、第１及び第２の箱底板１ａ，１ｂ）１の周辺から張り出した左右の紙面部５ｃ，５ｃと上下の紙面部５ｅ，５ｆとを、それぞれ谷折り線ｂ，ｆ、ｈ，ｉ，ｊを基にして二度、谷折りして、図１，２及び図６に示すように、箱側板６ａ〜６ｃと、紙面部５ｃ，５ｅ，５ｆによる二重の折り畳み蓋板７とを形成し、もって、一枚の紙素材５の折り畳みによって方形の空間Ｐが形成された紙製の箱を作製しているのである。
【００２０】
上記の実施の形態において、図４，５では、紙面部５ｅ，５ｆを線ｊで山折りしたように図示しているが、紙面部５ｅ，５ｆを正規に線ｊで谷折りさせて図示すると、その紙面部５ｅ，５ｆの折り畳みによって作図の線が錯綜して、本発明による紙製の箱の作製状況が理解し難くなることを考慮してのことであり、実際は、上述したように、線ｊで谷折りさせるものであることを付言しておく。
【００２１】
上記の構成によれば、一枚の紙素材５に、切り目ｃ，ｄと谷折り線ａ，ｂ，ｆ，ｈ，ｉ，ｊと山折り線ｅを形成するだけの極めてシンプルな構成によって、谷折り線ａと山折り線ｅとによる三角形の一重部分が形成されるものの、箱底板１と折り畳み蓋板７とが二重になった構造的に堅牢な方形空間Ｐを有する紙製の箱が作製される。
【００２２】
書類等と共にフロッピィディスク３を郵送する際には、収容袋４にフロッピィディスク３を収容し、書類等を方形の空間Ｐに収容した状態で、図６に示すように、折り畳み蓋板７を互いに粘着テープ８などによって張り合わせ、かつ、郵便番号記入欄２に郵便番号を筆記し、更に、宛て先を筆記したり宛て名シールを貼着したりする。
【００２３】
上記のフロッピィディスク３の収容袋４は、例えばビニール製であって、離型紙付きの両面粘着テープ４ａを折り畳み蓋に備えて成り、実施の形態では、二重の折り畳み蓋板７を構成する内側の紙面部５ｅの内側面に接着させているが、箱底板１の内側面に接着させるようにしてもよい。
【００２４】
図７に示すように、紙素材５に次の通りの切り目と折り線およびスリットを形成すれば、図２に示した紙製の箱と同じような第２発明にかゝる紙製の箱を、それの第１箱底板１ａの上縁部に補強用の紙面部５ｈを備えさせて作製することができる。
【００２５】
即ち、矩形状に切り出された一枚の厚手の紙素材５に、紙素材５の下側縁とによって矩形状の第１箱底板１ａを設定する３本の直線状の谷折り線ａ，ｂ，ｂを形成すると共に、谷折り線ａの上部に、第１箱底板１ａの上縁部補強用の紙面部（明確になるように編み目で示している。）５ｈを形成して、これよりも上部の紙面部５ａの上下の幅寸法を、第１箱底板１ａの左右の幅寸法とほゞ同じに設定し、前記紙面部５ｈの両側に、この紙面部５ｈとほゞ同幅のスリット９，９を形成する。
【００２６】
そして、前記谷折り線ａと平行になる切り目ｍを、一方のスリット９の奥部上隅から補強用紙面部５ｈの途中にわたって形成すると共に、この切り目ｍの終端から４５度の角度をもって第２の切り目ｄを、かつ、他方のスリット９の奥部上隅から４５度の角度をもって山折り線ｅを、互いに交えるように谷折り線上部の紙面部５ａに形成し、かつ、谷折り線下部の紙面部５ｂに、左右の箱側板６ａ，６ａを設定するための２本の谷折り線ｆ，ｆを形成すると共に、この谷折り線ｆの左右外側の紙面部５ｃの幅寸法を、第１箱底板１ａの左右の幅寸法の半分以上に設定する。
【００２７】
更に、山折り線ｅの形成始端側の谷折り線ｂを延長させた線ｎに対して平行で且つ前記スリット９とほゞ同幅の寸法を隔てて、谷折り線上部の紙面部５ａに谷折り線ｈを形成すると共に、この谷折り線ｈとによって第２の箱底板１ｂを設定するための谷折り線ｉを、その線ｈ，ｉ間の寸法を第１箱底板１ａの上下寸法とほゞ同じに設定して形成し、かつ、これらの谷折り線ｈ，ｉとによって上下の箱側板６ｂ，６ｃを設定するために、谷折り線ｈ，ｉの外側に２本の谷折り線ｊ，ｊを形成する。
【００２８】
このように、一枚の紙素材５に、スリット９と切り目ｍ，ｄと谷折り線ａ，ｂ，ｆ，ｈ，ｉ，ｊと山折り線ｅを形成した上で、図８に示すように、谷折り線上部の紙面部５ａを谷折り線ａと山折り線ｅとで折り込んで、この谷折り線上部の紙面部５ａを９０度反転させながら、補強用の紙面部５ｈと三角紙面部５ｄおよび第２の箱底板１ｂを第１の箱底板１ａに重ね合わせる。
【００２９】
そして、この重ね合わせによる二重の箱底板１の周辺から張り出した左右の紙面部５ｃ，５ｃと上下の紙面部５ｅ，５ｆとを、それぞれ谷折り線ｂ，ｆ、ｈ，ｉ，ｊを基にして二度、谷折りして、上下左右の箱側板６ａ〜６ｃと、紙面部５ｃ，５ｅ，５ｆによる二重の折り畳み蓋板７とを形成することで、一枚の紙素材５の折り畳みによって方形の空間Ｐを形成した紙製の箱を作製することができる。
【００３０】
この第１発明にかゝる構成の紙製の箱によれば、第１箱底板１ａの上側縁に補強用の紙面部５ｈが折り返し形成されて、箱底板１の強度アップが達成されることに加えて、谷折り線ａと平行になる切り目ｍを補強用紙面部５ｈの途中にわたって形成したことで、箱寸法を谷折り線方向で大きくしても、箱底板１の三角形の一重部分を面積的に小さくすることができる。
【００３１】
図９に示すように、紙素材５に次の通りの切り目と折り線およびスリットを形成すれば、図１１に示すように、上下の箱側板６ｂ，６ｃを箱端縁ｒよりも控えさせた紙製の箱を作製することができる。
【００３２】
即ち、矩形状に切り出された一枚の厚手の紙素材５に、紙素材５の下側縁とによって矩形状の第１箱底板１ａを設定する３本の直線状の谷折り線ａ，ｂ，ｂを形成すると共に、谷折り線ａの上部に、箱側板６ｂの控え寸法分の紙面部（明確になるように編み目で示している。）５ｉを形成して、これよりも上部の紙面部５ａの上下の幅寸法を、第１箱底板１ａの左右の幅寸法とほゞ同じに設定し、かつ、前記紙面部５ｉの両側に、箱側板６ｂの控え寸法幅と同幅（つまりは紙面部５ｉと同幅）のスリット９，９を形成する。
【００３３】
そして、谷折り線上部の紙面部５ａに、各スリット９，９の奥部上隅から４５度の角度をもって互いに交わる切り目ｄと山折り線ｅとを形成すると共に、谷折り線下部の紙面部５ｂに、左右の箱側板６ａ，６ａを設定するための２本の谷折り線ｆ，ｆを形成し、かつ、この谷折り線ｆの左右外側の紙面部５ｃの幅寸法を、第１箱底板１ａの左右の幅寸法の半分以上に設定する。
【００３４】
更に、山折り線ｅの形成始端側の谷折り線ｂに連ねる状態で、前記谷折り線上部の紙面部５ａに谷折り線ｈを形成すると共に、この谷折り線ｈとによって第２の箱底板１ｂを設定するための谷折り線ｉを紙面部５ａに形成し、その線ｈ，ｉ間の寸法を、第１箱底板１ａの上下寸法から箱側板６ｂ，６ｃの控え寸法を差し引いた寸法に設定し、かつ、これらの谷折り線ｈ，ｉとによって上下の箱側板６ｂ，６ｃを設定するために、谷折り線ｈ，ｉの外側に２本の谷折り線ｊ，ｊを形成する。
【００３５】
このように、一枚の紙素材５に、スリット９と切り目ｄと谷折り線ａ，ｂ，ｆ，ｈ，ｉ
，ｊと山折り線ｅを形成した上で、図１０に示すように、谷折り線上部の紙面部５ａを谷折り線ａと山折り線ｅとで折り込んで、この紙面部５ａを９０度反転させながら、控え用の紙面部５ｉと三角紙面部５ｄおよび第２の箱底板１ｂを、第１の箱底板１ａに重ね合わせる。
【００３６】
そして、この重ね合わせによる二重の箱底板１の周辺から張り出した左右の紙面部５ｃ，５ｃと上下の紙面部５ｅ，５ｆとを、それぞれ谷折り線ｂ，ｆ、ｈ，ｉ，ｊを基にして二度、谷折りして、図１１に示すように、上下左右の箱側板６ａ〜６ｃと、紙面部５ｃ，５ｅ，５ｆによる二重の折り畳み蓋板７とを形成することで、一枚の紙素材５の折り畳みによって方形の空間Ｐを形成した紙製の箱を作製することができる。
【００３７】
この紙製の箱によれば、上下の箱側板６ｂ，６ｃが箱端縁ｒよりも控えて形成されることで、折り畳み蓋板７の内、上部側に重ね合わされた紙面部５ｃ，５ｃの上下の端縁どうしを、ステイプルの針１０によって止め合わせることが、そのステイプルを控え凹部に差し込むことで容易に行うことができる。
しかも、箱側板６ｂ，６ｃを控えさせるための控え紙面部５ｉが箱端縁ｒの一側縁に折り返し形成されることで、箱底板１の強度アップが達成される。
【００３８】
図１２に示すように、紙素材５に次の通りの切り目と折り線およびスリットを形成すれば、図１１に示した紙製の箱と同じような第２発明にかゝる紙製の箱を作製することができる。
【００３９】
即ち、矩形状に切り出された一枚の厚手の紙素材５に、紙素材５の下側縁とによって矩形状の第１箱底板１ａを設定する３本の直線状の谷折り線ａ，ｂ，ｂを形成すると共に、谷折り線ａの上部に、箱側板６ｂの控え寸法分の紙面部５ｉを形成して、これよりも上部の紙面部５ａの上下の幅寸法を、第１箱底板１ａの左右の幅寸法とほゞ同じに設定し、かつ、前記紙面部５ｉの両側に、その紙面部５ｉの控え寸法幅と同幅のスリット９，９を形成する。
【００４０】
そして、前記谷折り線ａと平行になる切り目ｍを、一方のスリット９の奥部上隅から紙面部５ｉの途中にわたって形成すると共に、この切り目ｍの終端から４５度の角度をもって第２の切り目ｄを、かつ、他方のスリット９の奥部上隅から４５度の角度をもって山折り線ｅを、互いに交えるように谷折り線上部の紙面部５ａに形成し、かつ、谷折り線下部の紙面部５ｂに、左右の箱側板６ａ，６ａを設定するための２本の谷折り線ｆ，ｆを形成すると共に、この谷折り線ｆの左右外側の紙面部５ｃの幅寸法を、第１箱底板１ａの左右の幅寸法の半分以上に設定する。
【００４１】
更に、山折り線ｅの形成始端側の谷折り線ｂに連ねる状態で、前記谷折り線上部の紙面部５ａに谷折り線ｈを形成すると共に、この谷折り線ｈとによって第２の箱底板１ｂを設定するための谷折り線ｉを紙面部５ａに形成し、その線ｈ，ｉ間の寸法を、第１箱底板１ａの上下寸法から箱側板６ｂ，６ｃの控え寸法を差し引いた寸法に設定し、かつ、これらの谷折り線ｈ，ｉとによって上下の箱側板６ｂ，６ｃを設定するために、谷折り線ｈ，ｉの外側に２本の谷折り線ｊ，ｊを形成する。
【００４２】
このように、一枚の紙素材５に、スリット９と切り目ｄと谷折り線ａ，ｂ，ｆ，ｈ，ｉ，ｊと山折り線ｅを形成した上で、図１３に示すように、谷折り線上部の紙面部５ａを谷折り線ａと山折り線ｅとで折り込んで、この紙面部５ａを９０度反転させながら、控え用の紙面部５ｉと三角紙面部５ｄおよび第２の箱底板１ｂを第１の箱底板１ａに重ね合わせる。
【００４３】
そして、この重ね合わせによる二重の箱底板１の周辺から張り出した左右の紙面部５ｃ，５ｃと上下の紙面部５ｅ，５ｆとを、それぞれ谷折り線ｂ，ｆ、ｈ，ｉ，ｊを基にして二度、谷折りして、上下左右の箱側板６ａ〜６ｃと、紙面部５ｃ，５ｅ，５ｆによる二重の折り畳み蓋板７とを形成することで、一枚の紙素材５の折り畳みによって方形の空間Ｐを形成した紙製の箱を作製することができる。
【００４４】
この第２発明にかゝる構成の紙製の箱によれば、上下の箱側板６ｂ，６ｃが箱端縁ｒよりも控えて形成されることで、重ね合わされた紙面部５ｃ，５ｃの端縁どうしをステイプルの針で止め合わせることが容易に行えると共に、控え紙面部５ｉが箱端縁ｒの一側縁に折り返し形成されることで、箱底板１の強度アップが達成され、更に、第２発明と同様に、谷折り線ａと平行になる切り目ｍを補強用紙面部５ｈの途中にわたって形成したことで、箱寸法を谷折り線方向で大きくしても、箱底板１の三角形の一重部分を面積的に小さくすることができる。
【００４５】
上記した夫々の実施の形態では、谷折り線ｆの左右外側の紙面部５ｃ，５ｃの幅寸法を、それぞれ第１箱底板１ａの左右の幅寸法の半分以上に設定して、紙面部５ｅ，５ｊの上部側に紙面部５ｃ，５ｃを折り畳んだ際に、その紙面部５ｃ，５ｃの遊端側を互いに重ね合わせるようにして、上記した二重の折り畳み蓋板７を構成するようにしている。
【００４６】
しかし、一方の紙面部５ｃの幅寸法のみを小にしたり、両方の紙面部５ｃ，５ｃの幅寸法を共に小にして、合計の幅寸法が、第１箱底板１ａの左右の幅寸法とほゞ同じになるようにして、紙面部５ｃ，５ｃの端部を突き合わせるようにしてもよく、或いは、紙面部５ｃ，５ｃの端部間に少しの隙間ができるように構成してもよい。
【００４７】
また、紙面部５ｅ，５ｊの上部側に紙面部５ｃ，５ｃを折り畳むようにしているが、紙面部５ｃ，５ｃを先に折り畳んで、この上部側に紙面部５ｅ，５ｊを折り畳むようにしてもよく、この場合、実施の形態では、紙面部５ｅ，５ｊの上下の幅寸法が、第１箱底板１ａの上下の幅寸法よりも小さく設定されているので、２本の粘着テープ８を貼着させる必要があるが、紙面部５ｅ，５ｊの上下の幅寸法の合計を、第１箱底板１ａの上下の幅寸法と同じ又は大に設定することで、紙面部５ｅ，５ｊの遊端側を互いに突き合わせたり、重ね合わせたりすることができ、従って、粘着テープ８の貼着を１本で済ませることができる。
但し、紙面部５ｃ，５ｃの左右の幅寸法や紙面部５ｅ，５ｊの上下の幅寸法の設定によっては、紙素材５の形状が矩形状にならないことがある。
【００４８】
尚、上記した夫々の実施の形態では、紙素材５の上下中間部に左右方向の谷折り線ａを形成して、この谷折り線ａの上部側に三角紙面部５ｄを形成する態様について説明したが、このように紙製の箱Ａに方向性を持たせたことは便宜上のことであって、谷折り線ａの下部側に三角紙面部５ｄを形成したり、紙素材５の左右中間部に上下方向の谷折り線ａを形成して、この谷折り線ａの左右いずれかに三角紙面部５ｄを形成したりし、かつ、所定の紙面部に、スリット９や切り目ｃ，ｄ，ｍ、谷折り線ａ，ｂ，ｆ，ｈ，ｉ，ｊ、山折り線ｅを形成することで、各種態様の紙製の箱を所定の方向性を持たせて作製することができる。
【００４９】
【発明の効果】
以上説明したように、第１及び第２発明の何れにおいても、最終的には従来と同じように、折り畳み蓋板をテープやステイプルの針で止める必要があるものの、一枚の紙素材に簡単なカットと折り込み線とを形成して、これを折り畳むだけの簡単な技術によって、一部に三角形の一重部分が形成されるものの、箱底板と折り畳み蓋板とが二重になった堅牢な紙製の箱を、コスト的に安価に提供することができる。
【００５０】
特に、第１発明では、箱底板の強度アップが達成される上に、箱底板の三角形の一重部分を小さくすることができる。
第２発明では、箱の上下または左右の一方に控え凹部が形成されることで、折り畳み蓋板のステイプルによる止め合わせが容易となり、しかも、そのための控え紙面部が箱底板の強度アップに寄与し、更に第２発明では、第１発明と同様に箱底板の三角形の一重部分を小さくすることができる。
【図面の簡単な説明】
【図１】  天地を逆にした紙製の箱の斜視図である。
【図２】  紙製の箱の縦断側面図である。
【図３】  紙製の箱作製用の紙素材の斜視図である。
【図４】  紙素材の折り畳み途中の状態を示す斜視図である。
【図５】  第１及び第２の箱底板を重ね合わせた状態を示す斜視図である。
【図６】  最終的に折り畳み蓋板をテープ止めした紙製の箱の斜視図である。
【図７】  第１の発明による紙製の箱作製用の紙素材の斜視図である。
【図８】  第１及び第２の箱底板を重ね合わせた状態を示す斜視図である。
【図９】  紙製の箱作製用の紙素材の斜視図である。
【図１０】  第１及び第２の箱底板を重ね合わせた状態を示す斜視図である。
【図１１】  折り畳み蓋板をステイプルの針で止めた紙製の箱の斜視図である。
【図１２】  第２の発明による紙製の箱作製用の紙素材の斜視図である。
【図１３】  第１及び第２の箱底板を重ね合わせた状態を示す斜視図である。
【符号の説明】
１…箱底板、５…紙素材、５ａ…谷折り線上部の紙面部、５ｂ…谷折り線下部の紙面部、５ｈ…補強用の紙面部、５ｉ…控え紙面部、６ａ〜６ｂ…箱側板、７…折り畳み蓋板、９…スリット、ａ…谷折り線、ｃ，ｄ，ｍ…切り目、ｅ…山折り線、Ｐ…方形の空間。
【図１】
0003774737.tif 000002
【図２】
0003774737.tif 000003
【図３】
0003774737.tif 000004
【図４】
0003774737.tif 000005
【図５】
0003774737.tif 000006
【図６】
0003774737.tif 000007
【図７】
0003774737.tif 000008
【図８】
0003774737.tif 000009
【図９】
0003774737.tif 000010
【図１０】
0003774737.tif 000011
【図１１】
0003774737.tif 000012
【図１２】
0003774737.tif 000013
【図１３】
0003774737.tif 000014